【手続補正書】
【提出日】令和3年1月28日(2021.1.28)
【手続補正１】
【補正対象書類名】特許請求の範囲
【補正対象項目名】全文
【補正方法】変更
【補正の内容】
【特許請求の範囲】
【請求項１】
原動機およびエネルギー貯蔵フライホイールに結合可能なエネルギー貯蔵および回生システム（ＥＲＳ）であって、前記ＥＲＳは、
第１のポンピング要素および第２のポンピング要素を有する静水圧配置であって、各ポンピング要素が、前記第１および第２のポンピング要素の間で流体動力を伝達するためのそれぞれの流体変位および流体結合配置を有し、前記第１および第２のポンピング要素のそれぞれの前記流体結合配置の少なくとも１つが、前記第１および第２のポンピング要素の間の流体動力のトランスミッションのために１つまたは複数の油圧サービスに選択的に結合できるものと、
少なくとも３つの入力を備える差動装置であって、前記第１のポンピング要素の第１のドライブシャフトが、使用時に原動機に結合され、前記差動装置の第１の入力が、使用時に前記原動機に結合され、前記差動装置の第２の入力が、前記第２のポンピング要素の第２のドライブシャフトに結合され、前記差動装置の前記第３の入力が、使用時にフライホイールに結合されるものとを備える、
ＥＲＳ。
【請求項２】
前記差動装置が、遊星歯車ギアセットである、
請求項１に記載のＥＲＳ。
【請求項３】
前記ポンピング要素の少なくとも１つが、その流体変位を変化させるための機構を有する、
請求項１または２に記載のＥＲＳ。
【請求項４】
前記ポンピング要素の少なくとも１つが、そのドライブシャフトの速度の所与の向きのために流れを変化させて逆転させるための機構を有する、
請求項１〜３のいずれか一項に記載のＥＲＳ。
【請求項５】
前記第１および第２のポンピング要素が、それらのそれぞれの流体変位を変化させるための機構を有する、
請求項３に記載のＥＲＳ。
【請求項６】
第１および第２のポンピング要素の両方が、前記それぞれのドライブシャフトの速度の所与の向きのために流れを変化させて逆転させるための機構を有する、
請求項５に記載のＥＲＳ。
【請求項７】
前記第１および第２のポンピング要素が、前記第１および第２のポンピング要素の間の流体動力のトランスミッションのために、それらのそれぞれの流体結合配置を介して結合できる、
請求項１〜６のいずれか一項に記載のＥＲＳ。
【請求項８】
前記原動機への結合と前記フライホイールへの結合との間を通過する前記動力の一部のみが前記第１および第２のポンピング配置の間を通過する動力分割配置をさらに備える、
請求項７に記載のＥＲＳ。
【請求項９】
前記第１のドライブシャフトが、遊星歯車のキャリアに結合され、前記第２のドライブシャフトが、前記遊星歯車の円環に結合され、前記フライホイールが、前記遊星歯車の太陽に結合される、
請求項１〜８のいずれか一項に記載のＥＲＳ。
【請求項１０】
前記遊星歯車が、単純な遊星歯車である、
請求項９に記載のＥＲＳ。
【請求項１１】
前記キャリアが静止した状態で前記太陽と前記円環との間に負の速度比が存在する、
請求項９または１０に記載のＥＲＳ。
【請求項１２】
前記第１および第２のポンピング要素の前記それぞれの流体結合配置が、前記第１および第２のポンピング要素の間の流体動力のトランスミッションが不可能になるように分離できる、
請求項１〜１１のいずれか一項に記載のＥＲＳ。
【請求項１３】
車両運動エネルギーを前記フライホイールに、または前記フライホイールから伝達するように適合される、
請求項１〜１２のいずれか一項に記載のＥＲＳ。
【請求項１４】
前記差動装置の前記第３の入力に結合されたエネルギー貯蔵フライホイールをさらに備える、
請求項１〜１３のいずれか一項に記載のＥＲＳ。
【請求項１５】
前記第１のポンピング要素の前記第１のドライブシャフトおよび差動装置の第１の入力に結合された原動機をさらに備える、
請求項１〜１４のいずれか一項に記載のＥＲＳ。
【請求項１６】
請求項１〜１５のいずれか一項に記載のＥＲＳを備える機械または車両を制御する方法であって、前記方法は、
ａ．前記機械または車両のデューティサイクルの現在の動作状態によって要求される動力を示す信号を決定するステップと、
ｂ．原動機の動力出力を、前記車両または機械のデューティサイクルの現在の動作状態によって要求される動力出力を超えるように設定するステップと、
ｃ．前記原動機からフライホイールへの動力伝達を行うために、第１および第２のポンピング要素の一方または両方の流体変位設定を変更するステップと
を含む、
方法。
【請求項１７】
請求項１〜１５のいずれか一項に記載のＥＲＳを備える機械または車両を制御する方法であって、前記方法は、
ａ．前記機械または車両のデューティサイクルの現在の動作状態によって要求される動力を示す信号を決定するステップと、
ｂ．原動機の動力出力を、前記車両または機械のデューティサイクルの現在の動作状態によって要求されるレベルよりも低いレベルに設定するステップと、
ｃ．フライホイールから前記原動機への動力伝達を行うために、第１および第２のポンピング要素の一方または両方の流体変位設定を変更するステップと
を含む、
方法。
【請求項１８】
請求項１〜１５のいずれか一項に記載のＥＲＳを備える機械または車両を制御する方法であって、前記方法は、
ａ．前記機械または車両のデューティサイクルの現在の動作状態によって要求される動力を示す信号を決定するステップと、
ｃ．フライホイールと原動機との間で動力を伝達する方向を決定するステップと、
ｂ．前記原動機の動力出力を、前記決定された動力伝達の方向に応じて、前記車両または機械のデューティサイクルの現在の動作状態によって要求されるレベルよりも低いまたは高いレベルに設定するステップと、
ｄ．前記決定された動力伝達の方向に応じて、前記フライホイールからまたは前記フライホイールに前記原動機への動力伝達を行うために、第１および第２のポンピング要素の一方または両方の流体変位設定を変更するステップと
を含む、
方法。
【請求項１９】
地面係合駆動配置、および請求項１〜１５のいずれか一項に記載のＥＲＳを備える機械または車両を制御する方法であって、前記方法は、
ａ．地面係合駆動配置のトルク要求を示す信号を決定するステップと、
ｂ．前記トルク要求の一部が満たされるようにフライホイールから前記地面係合駆動配置への動力伝達を行うために、第１および第２のポンピング要素の一方または両方の流体変位設定を変更するステップと、
ｃ．前記トルク要求の実質的に残りの部分がエンジン出力によって満たされるように、前記エンジン出力を設定するステップと
を含む、
方法。
【請求項２０】
地面係合駆動配置、および請求項１〜１５のいずれか一項に記載のＥＲＳを備える機械または車両を制御する方法であって、前記方法は、
ａ．車両車輪のトルク要求を示す信号を決定するステップと、
ｂ．前記地面係合駆動配置のトルク要求がエンジン出力によって超えられるように、前記エンジン出力を設定するステップと、
ｃ．前記トルク要求の実質的に残りの部分がフライホイールに提供されるように前記地面係合駆動配置から前記フライホイールへの動力伝達を行うために、第１および第２のポンピング要素の一方または両方の流体変位設定を変更するステップと
を含む、
方法。
【請求項２１】
地面係合駆動配置、および請求項１〜１５のいずれか一項に記載のＥＲＳを備える機械または車両を制御する方法であって、前記方法は、
ａ．前記地面係合駆動配置のトルク要求を示す信号を決定するステップと、
ｂ．フライホイールと前記係合駆動配置の地面との間で動力を伝達する方向を決定するステップと、
ｃ．前記決定された方向に応じて、出力が前記トルク要求を超えるように、またはその逆になるようにエンジン出力を設定するステップと、
ｄ．余分なエンジン出力が前記フライホイールに提供されるか、または前記フライホイールからのトルクが、前記エンジン出力が前記トルク要求を満たさない前記地面係合駆動配置に提供されるかを制御するために、前記決定された方向に従って第１および第２のポンピング要素の一方または両方の流体変位設定を変更するステップと
を含む、
方法。
【請求項２２】
請求項１〜９のいずれか一項に記載の機械または車両を制御する方法であって、前記方法は、
ａ．前記１つまたは複数の油圧サービスの流体動力要件を示す信号を決定するステップと、
ｂ．前記１つまたは複数の油圧サービスと前記第１および第２のポンピング要素のそれぞれの前記流体結合配置の少なくとも１つとの間で流体動力を伝達する方向を決定するステップと、
ｃ．少なくとも１つの油圧サービスに動力を供給するか、または少なくとも１つの油圧サービスから動力を回収するかを制御するために、前記決定された方向に従って前記第１および第２のポンピング要素の一方または両方の流体変位設定を変更するステップとを含む、
方法。
【請求項２３】
請求項１６〜２２のいずれか一項に記載の方法に従って動作する、
車両または機械。
【請求項２４】
請求項１〜１５のいずれか一項に記載のＥＲＳを含んで動作する、
車両または機械。
【請求項２５】
前記車両または機械が、都市旅客車両である、
請求項２３または２４に記載の車両または機械。
【請求項２６】
前記車両または機械が、建設、産業または農業車両の１つである、
請求項２３または２４に記載の車両または機械。
【請求項２７】
前記車両または機械が、繰り返される周期的な動作に適合される、
請求項２３〜２６のいずれか一項に記載の車両または機械。
【請求項２８】
前記車両が、積載車両、材料移動車両、掘削機および車輪式ローダの１つである、
請求項２３〜２７のいずれか一項に記載の車両または機械。